(57)【要約】【課題】ストッパ作用に時おいてスプリングシートに対する擦れに起因した不快な異音の発生を防止することのできるサスペンション装置用の発泡ポリウレタン製のバウンドストッパを提供する。【解決手段】バウンド時にシリンダに弾性当接してショックアブソーバの過度の収縮変位を規制する発泡ポリウレタン製のバウンドストッパ４６において、上端部の大径の嵌合部６０と軸方向の圧縮変形能を与えるための環状の括れ部４８との間の部分、且つ車両のバウンド時における圧縮変形状態の下でスプリングシート４２の凹嵌合部４４内に挿入状態となる挿入部８０の外周面に、上方に向って外径が次第に小径となる略逆テーパ状の、圧縮変形に伴う縮径変形を誘導する縮径誘導部８２を設けるとともに、少なくとも挿入部８０において中心孔４７の内周面７２とピストンロッドとの間に縮径変形のための環状の隙間を形成する。【選択図】        図３
2006170386.tif 000002
【特許請求の範囲】
【請求項１】
ショックアブソーバとコイルスプリングとを構成要素として備えた車両のサスペンション装置に用いられ、全体として筒状を成して中心孔に該ショックアブソーバのピストンロッドが挿通されるとともに、上端部の大径の嵌合部が前記コイルスプリングの上端を受けるスプリングシートに形成された逆カップ状の凹嵌合部に内嵌する状態に嵌合組み付けされ、車両のバウンド時に該ショックアブソーバのシリンダに弾性当接して該ショックアブソーバの過度の収縮変位を規制する発泡ポリウレタン製のバウンドストッパであって
前記上端部の大径の嵌合部と該バウンドストッパに軸方向の圧縮変形能を与えるための直下の環状の括れ部との間の部分、且つ車両のバウンド時における圧縮変形状態の下で前記スプリングシートの凹嵌合部内に挿入状態となる挿入部の外周面に、上方に向って外径が次第に小径となる略逆テーパ状の、前記圧縮変形に伴う縮径変形を誘導する縮径誘導部を設けるとともに、少なくとも前記挿入部において前記中心孔の内周面と前記ピストンロッドとの間に前記縮径変形のための環状の隙間を形成してあることを特徴とするサスペンション装置用のバウンドストッパ。
【請求項２】
請求項１において、前記括れ部の径方向の深さが３〜１０ｍｍであり、前記略逆テーパ状の縮径誘導部における最小径部と下端の最大径部との外径差が０．２〜３．０であることを特徴とするサスペンション装置用のバウンドストッパ。
【請求項３】
請求項１，２の何れかにおいて、前記中心孔の内周面が全高に亘り前記ピストンロッドとの間に環状の隙間を形成していることを特徴とするサスペンション装置用のバウンドストッパ。
【請求項４】
請求項３において、前記サスペンション装置は、前記ピストンロッドが前記スプリングシートに対して該ピストンロッドの軸心周りに相対回転する形式のものであることを特徴とするサスペンション装置用のバウンドストッパ。
【請求項５】
請求項１〜４の何れかにおいて、前記スプリングシートが表面にカチオン塗装が施されて表面平滑なものであることを特徴とするサスペンション装置用のバウンドストッパ。
【発明の詳細な説明】
【技術分野】
【０００１】
この発明は、ショックアブソーバとコイルスプリングとを構成要素として備えた車両のサスペンション装置に用いられる筒状の発泡ポリウレタン製のバウンドストッパに関し、特に異音防止のための技術手段に特徴を有するものに関する。
【背景技術】
【０００２】
従来より、ショックアブソーバとコイルスプリングとを構成要素として備えた車両のサスペンション装置において、車両のバウンド時にショックアブソーバのシリンダに当接して、ショックアブソーバの過度の収縮変位を規制するバウンドストッパが用いられている。
【０００３】
例えば下記特許文献１にこの種のバウンドストッパが開示されている。
このバウンドストッパにはゴム製のものと発泡ポリウレタン製のものとがあり、特に後者の発泡ポリウレタン製のバウンドストッパの場合、ゴム製のものに較べて圧縮変形能が高く、ストッパ作用時の初期の当りを軟らかくすることができる特長を有する。
【０００４】
このバウンドストッパは、全体として筒状を成していて、通常軸方向、即ち高さ方向の複数個所にバウンドストッパ全体に対して圧縮変形能高めるための環状の深い括れ部が形成される。
そしてこのバウンドストッパは、その中心孔にショックアブソーバのピストンロッドが挿通されるとともに、上端部の大径の嵌合部が、通常はピストンロッドを車体に弾性的に連結するストラットマウントに備えた金具の逆カップ状の凹嵌合部に内嵌する状態に嵌合組付けされる。
【０００５】
ここでストラットマウントの金具は、一般に表面処理として洗浄及び化成被膜処理が施されており、車両のバウンド時にバウンドストッパが圧縮変形してかかる金具に対しバウンドストッパが擦れを生じても、問題となるような大きな異音は発生し難い。
【０００６】
これに対して、近年コイルスプリングの上端を受けるばね受としてのスプリングシートに逆カップ状の凹嵌合部を設けて、そこにバウンドストッパの上端部の大径の嵌合部を内嵌状態に嵌合組付けすることが考えられている。
このスプリングシートは車両において重要保安部品となっており、その防錆要求から表面にカチオン塗装が施されて、表面が「ツルツル」の平滑表面をなしており、これに起因してバウンドストッパがストッパ作用時に圧縮変形したとき、スプリングシートに対して、詳しくは逆カップ状の凹嵌合部の内周面に対して擦れを生じて、そこでスティックスリップ音からなる異音を発生し易いといった問題が生ずる。
詳しくは、バウンドストッパの大径の嵌合部の下側の部分であって、バウンド時の圧縮変形状態の下でスプリングシートの凹嵌合部内に挿入状態となる部分（挿入部）の外周面が径方向外方に膨出変形を起して、凹嵌合部内周面に対し擦れを生じ、その擦れに起因して不快な異音であるスティックスリップ音を生じてしまう。
【０００７】
【特許文献１】特開平８−４２６２４号公報
【発明の開示】
【発明が解決しようとする課題】
【０００８】
本発明は以上のような事情を背景とし、ストッパ作用時においてスプリングシートに対する擦れに起因した不快な異音の発生を防止することのできるサスペンション装置用の発泡ポリウレタン製のバウンドストッパを提供することを目的としてなされたものである。
【課題を解決するための手段】
【０００９】
而して請求項１のものは、ショックアブソーバとコイルスプリングとを構成要素として備えた車両のサスペンション装置に用いられ、全体として筒状を成して中心孔に該ショックアブソーバのピストンロッドが挿通されるとともに、上端部の大径の嵌合部が前記コイルスプリングの上端を受けるスプリングシートに形成された逆カップ状の凹嵌合部に内嵌する状態に嵌合組み付けされ、車両のバウンド時に該ショックアブソーバのシリンダに弾性当接して該ショックアブソーバの過度の収縮変位を規制する発泡ポリウレタン製のバウンドストッパであって、前記上端部の大径の嵌合部と該バウンドストッパに軸方向の圧縮変形能を与えるための直下の環状の括れ部との間の部分、且つ車両のバウンド時における圧縮変形状態の下で前記スプリングシートの凹嵌合部内に挿入状態となる挿入部の外周面に、上方に向って外径が次第に小径となる略逆テーパ状の、前記圧縮変形に伴う縮径変形を誘導する縮径誘導部を設けるとともに、少なくとも前記挿入部において前記中心孔の内周面と前記ピストンロッドとの間に前記縮径変形のための環状の隙間を形成してあることを特徴とする。
【００１０】
請求項２のものは、請求項１において、前記括れ部の径方向の深さが３〜１０ｍｍであり、前記略逆テーパ状の縮径誘導部における最小径部と下端の最大径部との外径差が０．２〜３．０であることを特徴とする。
【００１１】
請求項３のものは、請求項１，２の何れかにおいて、前記中心孔の内周面が全高に亘り前記ピストンロッドとの間に環状の隙間を形成していることを特徴とする。
【００１２】
請求項４のものは、請求項３において、前記サスペンション装置は、前記ピストンロッドが前記スプリングシートに対して該ピストンロッドの軸心周りに相対回転する形式のものであることを特徴とする。
【００１３】
請求項５のものは、請求項１〜４の何れかにおいて、前記スプリングシートが表面にカチオン塗装が施されて表面平滑なものであることを特徴とする。
【発明の作用・効果】
【００１４】
以上のように本発明は、バウンドストッパの圧縮変形状態の下でスプリングシートの凹嵌合部内に挿入状態となる挿入部の外周面に略逆テーパ状の縮径誘導部を設けるとともに、少なくともその挿入部において、中心孔の内周面とピストンロッドとの間に縮径変形のための環状の隙間を形成したものである。
本発明のバウンドストッパの場合、ストッパ作用時にバウンドストッパが圧縮変形するとき、縮径誘導部の作用でスプリングシートの凹嵌合部内に挿入状態となる挿入部、特に最小径部が中心孔側に縮径変形し、これによって挿入部の外周面が径方向外方に膨出変形するのが抑制される。
【００１５】
この結果、ストッパ作用時にバウンドストッパが圧縮変形しても、上記挿入部の外周面がスプリングシートの凹嵌合部の内周面に対して擦れを生じず、これによりその擦れに起因した不快な異音の発生が良好に防止される。
【００１６】
本発明においては、少なくてもその挿入部において中心孔の内周面とピストンロッドとの間に縮径変形のための環状の隙間が形成してあるため、バウンドストッパの圧縮変形時に縮径誘導部が良好に本来の働きを発揮することができる。
従来にあっては、バウンドストッパの中心孔の内周面がピストンロッドに対して接触状態に嵌合しており、この場合、上記のような縮径誘導部を設けても、バウンドストッパの圧縮変形時にその縮径誘導部が良好に縮径方向に変形することができない。
しかるに本発明では上記の環状の隙間がピストンロッドとの間に形成してあるため縮径誘導部、特に最小径部が良好に中心孔側に縮径変形することができる。
【００１７】
本発明においては、バウンドストッパ全体に圧縮方向の変形能を与えるための括れ部の径方向深さ３〜１０ｍｍに対し、上記の略逆テーパ状の縮径誘導部における最小径部と下端の最大径部との外径差を０．２〜３．０の範囲内となしておくことが好適である（請求項２）。
【００１８】
またバウンドストッパの中心孔は、その内周面が全高に亘りピストンロッドとの間に環状の隙間を形成するものとなしておくことができる（請求項３）。
【００１９】
この請求項３のものは、特にピストンロッドがスプリングシートに対してピストンロッドの軸心周りに相対回転する形式のサスペンション装置のためのバウンドストッパとして特に好適なものである（請求項４）。
【００２０】
中心孔の内周面が全高に亘ってピストンロッドとの間に環状の隙間を形成するものとなしておくことで、請求項４のサスペンション装置にこれを適用した場合において、回転するピストンロッドに対しバウンドストッパの内周面が擦れを生じて、そこでその擦れに起因する異音の発生を良好に防止することができる。
【００２１】
また上記の説明から明らかなように、本発明はスプリングシートが表面にカチオン塗装が施されて表面平滑なものである場合に適用して特に好適なものである（請求項５）。
【発明を実施するための最良の形態】
【００２２】
次に本発明の実施形態を図面に基づいて詳しく説明する。
図１において、１０は車両のサスペンション装置、ここではストラット式のサスペンション装置の主要素をなすショックアブソーバで、１２はシリンダ，１４はシリンダ１２から上向きに突き出したピストンロッドである。
ここでピストンロッド１４は、上端部がベアリング１５及びストラットマウント１６を介して車体パネル１８に、その軸心周りに回転可能に弾性的に連結されている。
【００２３】
一方シリンダ１２の下端部は、図示を省略するステアリングナックルに固定されている。
従ってシリンダ１２の下端部は、操舵時においてステアリングナックルとロアアームとを連結するボールジョイントとピストンロッドの上端部、詳しくはベアリング１５の中心とを結ぶ線の周りに車輪と一体に回動運動して位置移動する。
即ちショックアブソーバ１０は、ピストンロッド１４の上端部が位置固定で、下端部が操舵時における車輪の回動中心周りに車輪と一体に回動運動して位置を変化させる。
【００２４】
上記ストラットマウント１６は、ピストンロッド１４と車体パネル１８との間で振動絶縁するもので、テーパ形状のアウタ金具２０と、対応した略テーパ形状のインナ金具２２と、それらを連結するゴム弾性体２４とを有している。
ここでゴム弾性体２４は、アウタ金具２０及びインナ金具２２に対し一体に加硫接着されている。
またこのストラットマウント１６において、アウタ金具２０及びインナ金具２２は、それぞれゴム弾性体２４内部に埋込み状態で設けられている。
このストラットマウント１６は、ボルトにて車体パネル１８に締結されないボルトレスタイプのものであって、車体パネル１８に形成された凹所２６に対し下方から上向きに嵌め込まれて、かかる車体パネル１８に組み付けられている。
【００２５】
２８はリバウンドストッパで、ストッパ金具３０と、これに一体に加硫接着されたゴムストッパ部３２とから成っており、そのストッパ金具３０においてナット３４-１，３４-２によりピストンロッド１４の上端部の雄ねじに締結固定されている。
【００２６】
上記ベアリング１５は内輪（上軌道輪）３６と、外輪（下軌道輪）３８と、それらの間の転動球４０とを有しており、その内輪３６がピストンロッド１４に固定されてこれと一体に回転し、また外輪３８がスプリングシート４２に固定されてこれと一体に回転するようになっている。
即ちこの実施形態では、ピストンロッド１４とスプリングシート４２とが、互いに独立してそれぞれに対し相対回転可能となっている。
ここでスプリングシート４２は、ショックアブソーバ１０の外周側に介装される、図示を省略するコイルスプリングの上端を受けるばね受けとしてのもので凹嵌合部４４を有しており、そこにバウンドストッパ４６が嵌合され保持されている。
ここで金属製のスプリングシート４２は、防錆のためのカチオン塗装が施されていてその表面がツルツルの平滑な面をなしている。
【００２７】
バウンドストッパ４６は、車両のバウンド時にその下端部５２をシリンダ１２の上面に当接させて圧縮弾性変形し、ショックアブソーバ１０の過度の収縮変位を規制するもので、ここではバウンドストッパ４６は発泡ポリウレタン製とされている。
【００２８】
このバウンドストッパ４６は、全体として筒状を成していて中心孔４７を有しており、その中心孔４７にピストンロッド１４が挿通されている。
このバウンドストッパ４６の外周面には、上下にバウンドストッパ４６に圧縮変形能を与えるための括れ部４８，５０がそれぞれ環状に形成されている。
ここで上側の括れ部４８は、図３に示しているようにその括れの深さαが３〜１０ｍｍの範囲内の深さとされている。
尚、下側の括れ部５０もまた括れの深さが略同等の深さとされている。
【００２９】
この下側の括れ部５０よりも下側の部分は、ストッパ作用の初期にキャップ５３を介してシリンダ１２に当接して圧縮弾性変形する下端部５２とされていて、その下端部５２の内周側に括れ部５０とは逆向きの別の括れ部５４が環状に形成されている。
ここでキャップ５３にはメッキが施されており、その表面がツルツルの平滑な面をなしている。
この下端部５２はまた、その外径が括れ部５０よりも上側の部分に対し小径とされていて、下端部５２全体が変形し易いものとされている。
【００３０】
バウンドストッパ４６は、上側の括れ部４８と下側の括れ部５０との間の中間部の外周面に環状凹部５６が形成されていて、そこに剛性の樹脂から成る拘束リング５８が嵌着されている。
【００３１】
図３に示しているように、バウンドストッパ４６の上端部は大径の嵌合部６０とされていて、その大径の嵌合部６０がスプリングシート４２の上記の凹嵌合部４４に下方から上向きに嵌め込まれ、そこに内嵌状態に保持されている。
具体的にはここでは大径の嵌合部６０の外周面６２及び上端面６４が、それぞれ凹嵌合部４４の内周面及び上底面に接触する状態で凹嵌合部４４に嵌合部６０が内嵌されている。
【００３２】
図２及び図３に示しているようにこの嵌合部６０には、バウンドの際のストッパ作用時、更にはそのストッパ作用を解除する際にバウンドストッパ４６の内部と外部との間で空気を通すための空気通路６６が放射状に複数個所（ここでは３個所）設けられている。
【００３３】
本実施形態において、バウンドストッパ４６はその内径即ち中心孔４７の径が、ピストンロッド１４の外径よりも大径とされており、通常時においてその上端から下端に到る全長に亘ってピストンロッド１４との間に環状の隙間を形成する形状とされている。
またこの中心孔４７は、図４に示すように上端から下端に向って進むにつれて拡径する角度θ１のテーパ形状とされている。
但しこの中心孔４７は、上端から下端に向って連続的に拡径する形状であっても良いし、或いはまた段階的に拡径する形状であっても良い。更に厳密なテーパ形状でなく、全体的に若しくは軸方向において部分的に湾曲形状をなしていても良い。
【００３４】
このバウンドストッパ４６はまた、嵌合部６０の外周面６２と上端面６４、更に下端部５２における下端面６５及び外周面７０、更に中心孔４７の内周面７２が、全面的に微細な凹凸群から成るシボ成形面６８とされている。
このシボ成形面６８は、ポリウレタン製のバウンドストッパ４６を金型にて型成形する際、その金型の対応する個所に予め形成してあるシボ加工面にて型成形された面であって、多数のシボ突起７４とそれらの間のシボ谷部７６とから成っている。
本実施形態では、シボ深さ即ちシボ突起７４の高さないしはシボ谷部７６の深さが２５０±５０μｍの範囲内とされている。また１ｃｍ２当りのシボ突起７４の個数は５個以上の高密度とされている。
【００３５】
本実施形態のバウンドストッパ４６は、車両のバウンド時に主としてその下端部５２がショックアブソーバ１０のシリンダ１２の上面、詳しくはここではキャップ５３の上面に当接して圧縮弾性変形し、ショックアブソーバ１０の過大な収縮方向の変位を規制する。
その際、下端部５２は下端面６５がキャップ５３を介してシリンダ１２に当接するのみならず、軸方向の圧縮変形によって、その外周面７０もまたキャップ５３を介してシリンダ１２の上面に当接し、その際に下端部５２の下端面６５及び外周面７０がシリンダ１２に対して相対的に擦れを生じる。
【００３６】
また嵌合部６０においても外周面６２及び上端面６４が、スプリングシート４２の凹嵌合部４４の内周面及び上底面に対し圧縮変形に伴って擦れを生じる。
また特に操舵時においてピストンロッド１４がバウンドストッパ４６に対し図４に示すようなこじり方向の運動を相対的に生じ、その際に或いはまた更に荷重の入力によってコイルスプリングの上端部とともにスプリングシート４２が相対回転したとき、バウンドストッパ４６の中心孔４７の内周面７２にピストンロッド１４が接触し、或いは接触しながら相対回転することがある。このときバウンドストッパ４６の内周面７２がピストンロッド１４に対し擦れを生じる。
【００３７】
ここにおいて本実施形態ではそれら擦れを生じる面が全てシボ成形面６８とされているため、そのような擦れによって異音が発生するのが良好に防止される。
【００３８】
本実施形態において、バウンドストッパ４６における上端部の大径の嵌合部６０と上側の環状の括れ部４８、即ち嵌合部６０の直下の括れ部４８との間の部分は、ストッパ作用の際にバウンドストッパ４６が圧縮弾性変形したとき、図５に示すようにスプリングシート４２の凹嵌合部４４内にそのほぼ全体が挿入状態となる部分であって、図３に示すようにこの挿入部８０の外周面全面が、上方に進むにつれて外径が漸次小径となる逆テーパ形状（角度θ２）の縮径誘導部８２とされている。
【００３９】
ここで逆テーパ形状の下端の最大径部８４は、その外径が括れ部４８と５０との間の中間部８６の外径と同等径とされている。従って縮径誘導部８２における上端の最小径部８８は、中間部８６の外径よりも小径をなしている。但しこの最小径部８８の外径は括れ部４８の外径よりも大径をなしている。
【００４０】
ここで最小径部８８の外径は、中間部８６の外径φ５３ｍｍに対しφ５２ｍｍとされている。即ち縮径誘導部８２における最小径部８８の外径は、最大径部８４の外径に対し１ｍｍ小径をなしている。
尚括れ部４８の外径はφ４０ｍｍであり、従ってその括れの深さαは具体的にはここでは６．５ｍｍである。
【００４１】
この縮径誘導部８２は、ストッパ作用時にバウンドストッパ４６が圧縮変形したとき、ピストンロッド１４と中心孔４７の内周面７２との間の環状の隙間によって挿入部８０、特に最小径部８８を縮径方向に変形誘導するもので、本実施形態ではこの結果バウンドストッパ４６の圧縮変形の際、挿入部８０が径方向外方に膨出変形するのが効果的に抑制される。
【００４２】
図５はこれを表したもので、同図に示しているように挿入部８０は、バウンドストッパ４６の圧縮変形状態の下で特に径方向外方に膨出変形することがなく、従ってその膨出変形により挿入部８０がスプリングシート４２の凹嵌合部４４の内周面に対し擦れを生じるのが防止される。
因みに図６は挿入部８０Ａにそのような縮径誘導部を形成しない場合を比較例として表したもので、この比較例におけるバウンドストッパ４６Ａの挿入部８０Ａの外周面には逆テーパ形状の縮径誘導部は形成されておらず、その外周面は軸方向のストレート面をなしている。
【００４３】
またバウンドストッパ４６Ａは、図６（Ａ）に示すようにその上部の内周面７２がピストンロッド１４に対し接触状態に嵌合している。
その結果として、この比較例の図６に示すバウンドストッパ４６Ａの場合、ストッパ作用時においてバウンドストッパ４６Ａが軸方向に圧縮弾性変形したとき、挿入部８０Ａが径方向外方に膨出して、スプリングシート４２の凹嵌合部４４の内周面に接触し、その接触に基づいて擦れを生じて、その擦れに起因した異音を発生する問題が発生する。
【００４４】
然るに本実施形態では、図５に示しているように挿入部８０が膨出変形せず、従ってスプリングシート４２の凹嵌合部４４の内周面に対し擦れを生じないため、その擦れに起因した不快な異音を発生させることがない。
【００４５】
本実施形態においては中心孔４７の内周面７２とピストンロッド１４との間に縮径変形のための環状の隙間が形成してあるため、バウンドストッパ４６の圧縮変形時に縮径誘導部８２が良好に本来の働きを発揮することができる。
【００４６】
また本実施形態では中心孔４７の内周面７２が全高に亘ってピストンロッド１４との間に環状の隙間を形成するものと成してあるため、ピストンロッド１４の円滑な回転運動が確保されるとともにその回転に際しバウンドストッパ４６の内周面７２の擦れが抑制される。
【００４７】
以上本発明の実施形態を詳述したがこれはあくまで一例示である。
例えば挿入部の外周面の縮径誘導部は厳密な逆テーパ形状でなくてもよく、概略テーパ形状をなすものであっても良い。詳しくは上方に進むにつれて小径となる形状であれば厳密な逆テーパ形状でなくても良い。
その他本発明はその趣旨を逸脱しない範囲において種々変更を加えた形態で構成可能である。
【図面の簡単な説明】
【００４８】
【図１】本発明の一実施形態のバウンドストッパをサスペンション装置への装着状態で示す図である。
【図２】図１におけるバウンドストッパの斜視図である。
【図３】同バウンドストッパにおける（Ａ）縦断面図，（Ｂ）平面図，（Ｃ）Ｃ−Ｃ断面図である。
【図４】同バウンドストッパの作用説明図である。
【図５】同バウンドストッパの図４とは異なる作用説明図である。
【図６】本発明の比較例図である。
【符号の説明】
【００４９】
１０  ショックアブソーバ
１２  シリンダ
１４  ピストンロッド
４２  スプリングシート
４４  凹嵌合部
４６  バウンドストッパ
４７  中心孔
４８，５０，５４  括れ部
６０  嵌合部
７２  内周面
８０  挿入部
８２  縮径誘導部
８４  最大径部
８８  最小径部
【図１】
2006170386.tif 000003
【図２】
2006170386.tif 000004
【図３】
2006170386.tif 000005
【図４】
2006170386.tif 000006
【図５】
2006170386.tif 000007
【図６】
2006170386.tif 000008